(57)【特許請求の範囲】
【請求項１】
建築物のコンクリート躯体壁（Ｗ）に貫通して設けられ、この躯体壁（Ｗ）を隔てて配設されるダクト（Ｄ1 ，Ｄ2 ）を連通接続するための建築用保温スリーブであって、
前記コンクリート躯体壁（Ｗ）に貫通固定されるスリーブ本体（１）と、このスリーブ本体（１）に抜差可能に接続されて該躯体壁（Ｗ）の外側に突出する円筒状の接続スリーブ（２）とよりなり、
前記スリーブ本体（１）は、コンクリート躯体壁（Ｗ）に埋設固定される円筒状の外筒（３）と、この外筒（３）の内周面に沿設される円筒状の保温材（４）と、その保温材（４）の内面に沿設される円筒状の内筒（５）とよりなり、
前記スリーブ本体（１）の少なくとも一端部には、放射状に配置した複数の固定ボルト（６）が、該スリーブ本体（１）のコンクリート躯体壁（Ｗ）への埋設固定前に予め固着されていると共に、該固定ボルト（６）の内端部（６2 ）が、前記内筒（５）の内周面よりも径方向内方側に突出され、
一方、前記接続スリーブ（２）は、その一端に、前記内筒（５）の内周面に抜差可能に嵌挿される接続部（２1 ）を有すると共に、この接続部（２1 ）に、外端が該接続部（２1 ）の端部に開口していて複数の前記固定ボルト（６）の内端部（６2 ）にそれぞれ係合可能なかぎ孔状の複数の係合スリット（１０）が形成され、
各々の前記固定ボルト（６）の内端部（６2 ）には、その内端部（６2 ）が対応する前記係合スリット（１０）に係合した状態で、前記内筒（５）にその径方向内方側から係合して前記スリーブ本体（１）に前記接続スリーブ（２）を固定し得るナット（７）が螺合されることを特徴とする、建築用保温スリーブ。
【請求項２】
前記接続スリーブ（２）が、防火用又は防煙用のダンパー（Ｄｐ）であることを特徴とする、前記請求項１記載の建築用保温スリーブ。
【請求項３】
前記接続スリーブ（２）の外周には、保温材（１１）が囲繞されることを特徴とする、前記請求項１または２記載の建築用保温スリーブ。
【発明の詳細な説明】
【０００１】
【産業上の利用分野】
本発明は、建築物の骨格を構成するコンクリート躯体壁に貫通して設けられ、その躯体壁を隔てて配設されるダクトを連通接続するための、建築用保温スリーブに関するものである。
【０００２】
【従来の技術】
一般に建築物は、その骨格を構成するコンクリート躯体の、床スラブ、区画壁、梁等の躯体壁に、ダクト接続用のスリーブを貫通して設け、そのスリーブにより前記躯体壁を隔てて配設される、空調、排煙用等のダクトを連通接続することが行なわれ、またスリーブを流れる空調エア等が外気温により影響されないように、スリーブおよびダクトを保温材により外気と断熱することが従来より行なわれている。
【０００３】
ところで保温スリーブをコンクリート躯体壁に貫通して設けるのに、従来では、図５に示すように、コンクリート躯体壁Ｗを形成すべく、型枠Ｆの、型枠パネルＰ1 ，Ｐ2 間にコンクリートを打設するとき、そのコンクリートにスリーブ本体０１を埋設固定する。そしてスリーブ本体０１に、これよりも小径の接続短管０２を貫通させ、スリーブ本体０１と接続短管０２との間の環状間隙に保温材としてのグラスウール０４を充填し、接続短管０２の両端にダクトＤ′，Ｄ″を接続して、これらのダクトＤ′，Ｄ″の外周を保温材０１１により被覆するようにしている。
【０００４】
【発明が解決しようとする課題】
ところで前記従来の保温スリーブにあっては、スリーブ本体をコンクリート躯体壁に埋設固定した後で、このスリーブ本体と、そこに貫通される接続短管との環状間隙に、人手により保温材を充填する厄介な作業を行なう必要があり、保温スリーブの施工コストが大幅に嵩むという課題がある。
【０００５】
本発明はかかる事情に鑑みてなされたもので、前記保温材の充填作業を行なうことなしに、保温スリーブをコンクリート躯体壁に貫通して設けることができるようにして、前記課題を解決できるようにした、新規な建築用保温スリーブを提供することを目的とするものである。
【０００６】
【課題を解決するための手段】
前記目的達成のため、請求項１記載の発明の特徴とするところは、建築物のコンクリート躯体壁に貫通して設けられ、この躯体壁を隔てて配設されるダクトを連通接続するための建築用スリーブであって、前記コンクリート躯体壁に貫通固定されるスリーブ本体と、このスリーブ本体に抜差可能に接続されて該コンクリート躯体壁の外側に突出する円筒状の接続スリーブとよりなり、前記スリーブ本体は、コンクリート躯体壁に埋設固定される円筒状の外筒と、この外筒の内周面に沿設される円筒状の保温材と、その保温材の内面に沿設される円筒状の内筒とよりなり、前記スリーブ本体の少なくとも一端部には、放射状に配置した複数の固定ボルトが、該スリーブ本体のコンクリート躯体壁への埋設固定前に予め固着されていると共に、該固定ボルトの内端部が、前記内筒の内周面よりも径方向内方側に突出され、一方、前記接続スリーブは、その一端に、前記内筒の内周面に抜差可能に嵌挿される接続部を有すると共に、この接続部に、外端が該接続部の端部に開口していて複数の前記固定ボルトの内端部にそれぞれ係合可能なかぎ孔状の複数の係合スリットが形成され、各々の前記固定ボルトの内端部には、その内端部が対応する前記係合スリットに係合した状態で、前記内筒にその径方向内方側から係合して前記スリーブ本体に前記接続スリーブを固定し得るナットが螺合されることにある。
【０００７】
また前記目的達成のため、請求項２記載の発明の特徴とするところは、前記請求項１記載のものにおいて、前記接続スリーブが、防火用又は防煙用のダンパーであることにある。
【０００８】
さらに前記目的達成のため、請求項３記載の発明の特徴とするところは、前記接続スリーブの外周には、保温材が囲繞されることにある。
【０００９】
【作  用】
上記構成によれば、保温スリーブは、コンクリート躯体壁に貫通して埋設固定されるスリーブ本体と、このスリーブ本体に抜差自在に嵌挿されて該躯体壁の外側に突出する円筒状の接続スリーブとより構成され、スリーブ本体は、コンクリート躯体壁に埋設固定される円筒状の外筒と、この外筒の内周面に沿設される円筒状の保温材と、その保温材の内面に沿設される円筒状の内筒とよりなるので、スリーブ本体には保温材が内筒により保持されていることにより、従来の保温材の充填作業が不要となり、保温スリーブのコンクリート躯体壁への装着コストが低減される。
【００１０】
また特にスリーブ本体の少なくとも一端部には、放射状に配置した複数の固定ボルトが、該スリーブ本体のコンクリート躯体壁への埋設固定前に予め固着されていると共に、該固定ボルトの内端部が、内筒の内周面よりも径方向内方側に突出され、一方、接続スリーブは、その一端に、内筒の内周面に抜差可能に嵌挿される接続部を有すると共に、この接続部に、外端が該接続部の端部に開口していて複数の固定ボルトの内端部にそれぞれ係合可能なかぎ孔状の複数の係合スリットが形成され、各々の固定ボルトの内端部には、その内端部が対応する係合スリットに係合した状態で、内筒にその径方向内方側から係合してスリーブ本体に接続スリーブを固定し得るナットが螺合されるので、接続スリーブ（接続部）を内筒内周面に嵌挿させて一方に回動することで固定ボルトの内端部に係合スリットを係合させ、この状態で固定ボルトの内端部にナットを螺合して締付ければ、スリーブ本体に接続スリーブを確りと接続固定することができる。
【００１１】
【実施例】
以下、図１〜４を参照して本発明の第１実施例について説明する。
【００１２】
図１は、本発明保温スリーブの破断斜視図、図２は、前記保温スリーブをコンクリート躯体壁に設けた状態の図１の２−２線に沿う断面図、図３，４は、保温スリーブの、コンクリート躯体壁への装着過程を示す図である。
【００１３】
先ず保温スリーブＳの構造について説明すると、この保温スリーブＳは、両端開放の中空円筒状に形成される、スリーブ本体１と、これに抜差自在に嵌挿される、接続スリーブ２とより構成されている。
【００１４】
スリーブ本体１は、両端開放の中空円筒状に形成される亜鉛鉄板製の外筒３の内周面全面に中空筒状に形成される保温材すなわちグラスウール４を沿設し、さらにその保温材４の内周面に、鋼板製の中空筒状に形成される内筒５を沿設して、３層の中空円筒状に形成される。
【００１５】
前記スリーブ本体１の両端部すなわちその端面より若干内側のところには、４本の固定ボルト６が周方向に略等間隔を存して放射状に設けられる。これらの固定ボルト６は、外筒３、保温材４および内筒５を貫通し、その頭部６1 が外筒１の外面に溶接され、またその内端部６2 が内筒５より内方に突出しており、その内端に蝶ナット７を螺着可能である。
【００１６】
なお、外筒１、保温材４および内筒５の三者は接着等の結合手段により、一体に固定してもよく、また前記固定ボルト６により固定するようにしてもよい。
【００１７】
またスリーブ本体１の一方の端部（図１，２左端部）の外周面には、周方向に略等間隔を存して４つの止片８が放射状に外向きに溶接されており、これらの止片８は、後述するようにこのスリーブ本体１自体を型枠Ｆを構成する型パネルＰ1 に止め釘９により片持状に固定支持するためのものである。
【００１８】
一方前記接続スリーブ２は、亜鉛鉄板により中空円筒状に形成されており、その一端部は、前記スリーブ本体１の端部内周面に嵌挿される外径寸法の接続部２1 に形成されている。またこの接続スリーブ２の両端部の外周面には環状のストッパリブ２2 が一体に膨出形成されており、このストッパリブ２1 は、接続スリーブ２自体を補強すると共にこの接続スリーブ２を、スリーブ本体１に嵌挿した際のストッパとして機能する。また接続スリーブ２の一方の端部には、前記固定ボルト６に対応して、外端が開口するとともに内端にかぎ部１０1 を有するかぎ孔状の係合スリット１０が形成されており、これらの係合スリット１０は、前記固定ボルト６…と抜差自在に係合できるようになっている。
【００１９】
次に図３，４を参照してスリーブ本体１と接続スリーブ２とよりなる、保温スリーブＳを、建築物のコンクリート躯体壁Ｗに貫通して装着し、これにダクトＤ1 ，Ｄ2 を連通接続する過程について説明する。
【００２０】
［１］  図３に示すように、スリーブ本体１は、枠組みされる型枠Ｆの一方の型パネルＰ1 の適所に前記４つの止め片８を止め釘９により釘止めすることにより、片持状に仮止めされる。次にそのスリーブ本体１の自由端に、枠組みされる型枠Ｆの他方の型パネルＰ2 を当てがい、それら両パネルＰ1 ，Ｐ2 を固定した後、それらの間にコンクリートを打設する。
【００２１】
［２］  打設コンクリートの凝固により左右の型パネルＰ1 ，Ｐ2 間には、コンクリート躯体壁Ｗが形成される。
【００２２】
その後の型枠Ｆの解体に伴い図４に示すように、左右の型パネルＰ1 ，Ｐ2 がコンクリート躯体壁Ｗから外され、そのコンクリート躯体壁Ｗには、外筒３、保温材４および内筒５よりなるスリーブ本体１がそこを貫通して埋設固定され、このスリーブ本体１の両端面は、当然にコンクリート躯体壁Ｗの両壁面と面一である。
【００２３】
［３］  次に接続スリーブ２の４つの係合スリット１０を、それぞれスリーブ本体１の４つの固定ボルト６に係合させるべく、その接続スリーブ４の接続部２1 をスリーブ本体１の内面すなわち内筒５に嵌挿し、そのストッパリブ２2 を、スリーブ本体１の端面に係合した後、この接続スリーブ２を若干一方に回動すれば、係合スリット１０の内端のかぎ部１０1 がそれぞれ固定ボルト６の内端部６2 に係合する。これにより接続スリーブ２は、スリーブ本体１に係止される。ここで固定ボルト６の内端部６2 に蝶ナット７を螺合して締付ければ、スリーブ本体１の両端に接続スリーブ２を確りと接続固定することができる。
【００２４】
以上によりスリーブ本体１および接続スリーブ２よりなる保温スリーブＳを、躯体壁Ｗに固定することができる。
【００２５】
なお、スリーブ本体１をコンクリート躯体壁Ｗに埋設固定する以前に、このスリーブ本体１に予め接続スリーブ２を接続しておいてもよく、この場合接続スリーブ２は、スリーブ本体１内に内没できるように、たとえば係合スリット１０を長くし、またストッパリブ２2 は、外方に突出させないようにする等の手段が必要になる。
【００２６】
その後、一方の接続スリーブ２の外端には通常の接続手段によりダクトＤ1 が、また他方の接続スリーブ２の外端には、防火用又は防煙用のダンパＤｐが接続固定され、さらにその外端に他のダクトでＤ2 が接続される。この場合接続スリーブ２とダンパＤｐは一体に形成されていてもよい。
【００２７】
また接続スリーブ２とダクトＤ1 および接続スリーブ２とダンパＤｐとダクトＤ2 の外周には、グラスウール等の保温材１１が纏着され、さらにその保温材１１の外周は、金網、アルミ箔等の被覆材１２により被覆される。
【００２８】
以上、本発明の実施例について説明したが、本発明はその実施例に限定されることなく、本発明の範囲内で種々の実施例が可能である。
【００２９】
たとえば前記実施例では、スリーブは円筒状に形成されるが、これを角筒等の他の筒状に形成してもよい。また保温材としてグラスウールに代えて他の公知の保温材を用いてもよく、固定ボルトは、３本または５本以上であってもよく、またそこに螺合されるナットは蝶ナットの外、他のナットでもよいことは勿論である。
【００３０】
【発明の効果】
以上のように、本発明によれば、保温スリーブは、スリーブ本体と、これに抜差可能に接続されてコンクリート躯体壁の外側に突出する円筒状の接続スリーブとよりなり、スリーブ本体は、コンクリート躯体壁に埋設固定される円筒状の外筒と、この外筒の内周面に沿設される円筒状の保温材と、その保温材の内面に沿設される円筒状の内筒とよりなるので、従来の保温スリーブにおける、保温材の人手による充填作業が不要となり、その保温スリーブのコンクリート躯体壁への装着コストを大幅に低減することができる。
【００３１】
また特にスリーブ本体の少なくとも一端部には、放射状に配置した複数の固定ボルトが、該スリーブ本体のコンクリート躯体壁への埋設固定前に予め固着されていると共に、該固定ボルトの内端部が、内筒の内周面よりも径方向内方側に突出され、一方、接続スリーブは、その一端に、内筒の内周面に抜差可能に嵌挿される接続部を有すると共に、この接続部に、外端が該接続部の端部に開口していて複数の固定ボルトの内端部にそれぞれ係合可能なかぎ孔状の複数の係合スリットが形成され、各々の固定ボルトの内端部には、その内端部が対応する係合スリットに係合した状態で、内筒にその径方向内方側から係合してスリーブ本体に接続スリーブを固定し得るナットが螺合されるので、接続スリーブ（接続部）を内筒内周面に嵌挿させて一方に回動することで固定ボルトの内端部に係合スリットを係合させ、この状態で固定ボルトの内端部にナットを螺合して締付ければ、スリーブ本体に接続スリーブを確りと接続固定することができる。
【図面の簡単な説明】
【図１】保温スリーブの破断斜視図
【図２】保温スリーブをコンクリート躯体壁に設けた状態の、図１の２−２線に沿う断面図
【図３】保温スリーブの、コンクリート躯体壁への装着過程を示す図
【図４】保温スリーブの、コンクリート躯体壁への装着過程を示す図
【図５】従来の保温スリーブの断面図
【符号の説明】
１・・・・スリーブ本体
２・・・・接続スリーブ
２1 ・・・接続部
３・・・・外筒
４・・・・保温材
５・・・・内筒
６・・・・固定ボルト
６2 ・・・内端部
７・・・・ナット（蝶ナット）
１０・・・係合スリット
１１・・・保温材
Ｄｐ・・・ダンパ
Ｗ・・・・躯体壁
【図１】
0003619284.tif 000002
【図２】
0003619284.tif 000003
【図３】
0003619284.tif 000004
【図４】
0003619284.tif 000005
【図５】
0003619284.tif 000006